(57)【要約】【課題】構造が簡素で、安定性に優れ、耐久性も良好な踏み台係止機構を備えた収納家具を提供する。【解決手段】収納家具１００は、所定の支持面（床面）上に配置される本体部１０と、本体部１０の下方に出し入れ可能に設けられた引き出し部２０と、引き出し部２０に加わる荷重を支える支持手段として底板２２の下面に取り付けられた複数のキャスタと、引き出し部２０の上面開口部に着脱可能に載置される踏み板４０と、を備えている。引き出された引き出し部２０の上面に踏み板４０を載置すると、踏み板４０が本体部１０内に設けられた棚状部１１ａ，１１ｂの前端と、引き出し部２０の正面パネル２１ｐとの間に挟持され、引き出し部２０が本体部１０内へ進入不能となる係止機構を備えている。【選択図】図７
2014068809.tif 000002
【特許請求の範囲】
【請求項１】
所定の支持面上に配置される本体部と、前記本体部に出し入れ可能に設けられた引き出し部と、前記引き出し部に加わる荷重を支える支持手段と、前記引き出し部の上面に着脱可能に載置される踏み板と、を備え、引き出された前記引き出し部の上面に前記踏み板を載置すると前記踏み板が前記本体部と前記引き出し部との間に挟持され前記引き出し部が前記本体部内へ進入不能となることを特徴とする収納家具。
【請求項２】
前記踏み板を出し入れ可能に保管するための保管領域を前記本体部内に設けた請求項１記載の収納家具。
【請求項３】
前記引き出し部が前記本体部内に入れられた状態にあるときの当該引き出し部の直上部分に前記保管領域を設けた請求項２記載の収納家具。
【請求項４】
前記保管領域に収容された前記踏み台を一定姿勢に保つための保持手段を前記本体部に設けた請求項１〜３のいずれかに記載の収納家具。
【請求項５】
前記保持手段として、前記踏み板の側縁部を摺動可能に支持する棚状部を前記本体部内に設けた請求項４記載の収納家具。
【発明の詳細な説明】
【技術分野】
【０００１】
本発明は、一般人の身長より高い位置に設けられた収納スペース内への物品の出し入れを容易化するための踏み台機能を有する収納家具に関する。
【背景技術】
【０００２】
近年、キッチンボードや食器棚などの収納家具は高さ方向のサイズが増す傾向にあり、これらを使用する一般人の身長より高いものが多くなっているが、これに伴い、収納家具の高い位置に設けられた収納スペースへの物品の出し入れが困難になるという問題が生じる。そこで、収納家具の下部に、引き出し可能な踏み台を有するものが提案されている（例えば、特許文献１参照。）。
【０００３】
特許文献１記載の収納家具の場合、上部収納部などに物品を出し入れするとき、下部に設けられた踏み台を手前に引き出すと、踏み台の上面に設けられた踏み板が現れるので、使用者はこの踏み板の上に乗って出し入れ作業などを行うことができる。また、この収納家具は、使用者が踏み板に乗っているときに、これを支える踏み台が動かないように止める機構（以下、「係止機構」と記す。）を有している。
【先行技術文献】
【特許文献】
【０００４】
【特許文献１】特開２００６−２５９４４号公報
【発明の概要】
【発明が解決しようとする課題】
【０００５】
特許文献１記載の収納家具に設けられている係止機構は、使用者が踏み板に乗ったときに加わる荷重（体重）によって当該踏み台が下降し、これに連動して、踏み台に設けられた接地体、架設支持部材がそれぞれ床面、本体の底板に当接し、踏み台が動かないように係止するというものである。
【０００６】
しかしながら、前記係止機構は、引き出した踏み台を上下動可能に保持する部材、踏み台が下がったときに動かないように係止する接地体及び架設支持部材、荷重が解除されたときに踏み台を元の状態に復帰させる付勢部材など、多種類の部材を必要とするため、構造が複雑である。
【０００７】
また、使用者が踏み台に乗ったり、降りたりする度に、踏み台が下降、上昇を繰り返すので、長期間使用するうちに、部材の変形、損傷あるいは摩耗などが生じ、収納家具としての耐久性を悪化させる要因となることがある。
【０００８】
さらに、使用者が踏み板に乗り始めて係止機構が機能を発揮するまでの間、即ち、使用者が踏み板に乗り始めて接地体が床面と接するまでの間（架設支持部材が本体の底板と接するまでの間）に、踏み台に前後方向の力が加わると、踏み台が動く可能性があるので、安定性に欠ける面がある。また、使用者が踏み台に乗ると、当該踏み台が下降するので、不安定感が生じるのは否めない。
【０００９】
本発明が解決しようとする課題は、簡素な構造で、安定性に優れ、耐久性も良好な係止機構を備えた収納家具を提供することにある。
【課題を解決するための手段】
【００１０】
本発明の収納家具は、所定の支持面上に配置される本体部と、前記本体部に出し入れ可能に設けられた引き出し部と、前記引き出し部に加わる荷重を支える支持手段と、前記引き出し部の上面に着脱可能に載置される踏み板と、を備え、引き出された前記引き出し部の上面に前記踏み板を載置すると前記踏み板が前記本体部と前記引き出し部との間に挟持され前記引き出し部が前記本体部内へ進入不能となることを特徴とする。
【００１１】
このような構成とすれば、本体部から引き出された引き出し部の上面に踏み板を載置するだけで、当該引き出し部を、本体部内へ進入不能な状態に保持する係止機構が形成されるので、使用者は引き出し部上の踏み板に乗って、本体部の上部にある収納領域への物品の出し入れなどを行うことができる。前記係止機構は、引き出された引き出し部の上面に踏み板を載置して、本体部と引き出し部との間に踏み板を挟持するだけで形成されるので、構造が簡素であり、製作も容易である。また、使用者が踏み板上に乗り降りする際に、踏み板や引き出し部が上下動しないので、安定性に優れ、部材の変形、損傷あるいは摩耗などが発生せず、耐久性も良好である。
【００１２】
ここで、前記踏み板を出し入れ可能に保管するための保管領域を前記本体部内に設けることが望ましい。このような構成とすれば、踏み板の保管スペースを別途、設ける必要がなくなり、踏み板の紛失も予防することができる。
【００１３】
この場合、前記引き出し部が前記本体部内に入れられた状態にあるときの当該引き出し部の直上部分に前記保管領域を設けることが望ましい。このような構成とすれば、本体部から引き出された引き出し部の上面に容易かつ速やかに踏み板を載置することが可能となり、利便性が向上する。また、使用後、引き出し部の上面の踏み板を保管領域へ戻す作業も容易となる。
【００１４】
また、前記保管領域に収容された前記踏み台を一定姿勢に保つための保持手段を前記本体部に設けることが望ましい。このような構成とすれば、保管領域に収容された踏み台を安定保持することができ、耐震性の向上に有効である。
【００１５】
さらに、前記保持手段として、前記踏み板の側縁部を摺動可能に支持する棚状部を前記本体部内に設けることが望ましい。このような構成とすれば、引き出し部の出し入れ操作と同様の操作により、踏み板を本体部から出し入れすることができるので、操作性が大幅に向上する。
【発明の効果】
【００１６】
本発明により、構造が簡素で、安定性に優れ、耐久性も良好な係止機構を備えた収納家具を提供することができる。
【図面の簡単な説明】
【００１７】
【図１】本発明の実施形態である収納家具を示す正面図である。
【図２】図１に示す収納家具の右側面図である。
【図３】図１中のＡ−Ａ線における一部省略垂直断面図である。
【図４】図１に示す収納家具の一部切欠正面図である。
【図５】（ａ）は踏み板の平面図、（ｂ）は前記踏み板の正面図、（ｃ）は前記踏み板の側面図である。
【図６】図１に示す収納家具の使用状態を示す一部省略斜視図である。
【図７】図１に示す収納家具の使用状態を示す一部省略斜視図である。
【図８】図１に示す収納家具の使用状態を示す一部省略斜視図である。
【図９】図８に示す収納家具の一部省略垂直断面図である。
【発明を実施するための形態】
【００１８】
以下、図面に基づいて本発明の実施形態について説明する。図１〜図４に示すように、本実施形態の収納家具１００は、所定の支持面（床面Ｆ）上に配置される本体部１０と、本体部１０の下方に出し入れ可能に設けられた引き出し部２０と、引き出し部２０に加わる荷重を支える支持手段であるキャスタ３０と、引き出し部２０の上面に着脱可能に載置される踏み板４０と、を備えている。後述する図８，図９に示すように、引き出された引き出し部２０の上面に踏み板４０を載置すると、踏み板４０が本体部１０内に設けられた棚状部１１ａ，１１ｂの前端と、引き出し部２０の正面パネル２１ｐとの間に挟持され、引き出し部２０が本体部１０内へ進入不能となる係止機構を備えている。
【００１９】
引き出し部２０は、底板２２と、左右一対の側板２３ａ，２３ｂと、背面板２４と、正面板２１と、正面板２１の正面に固着された正面パネル２１ｐとで形成され、上面が開口した箱体状の部材であり、その内部に物品を収容することができる。底板２２の下面には、引き出し部２０の出し入れ動作に伴い、床面Ｆに沿って転動する複数のキャスタ３０が取り付けられている。正面板２１の上縁部分には、引き出し部２０の出し入れを行うときに手指を引っ掛けるための引掛部２５が設けられている。左右の側板２３ａ，２３ｂの外面の下縁部分と本体部１０との間には、それぞれ、引き出し部２０の出し入れ動作に伴って伸縮する多段式のガイドレール２６が取り付けられている。
【００２０】
図３，図４に示すように、本体部１０内には、踏み板４０を出し入れ可能に保管するための保管領域１２が設けられている。保管領域１２は、引き出し部２０が本体部１０内に入れられた状態にあるときの当該引き出し部２０の直上部分に設けられている。また、保管領域１２に収容された踏み台４０を一定姿勢に保つための保持手段として、左右一対の棚状部１１ａ，１１ｂが本体部１０内に設けられている。
【００２１】
左側の棚状部１１ａは、本体部１０を形成する左外側板１０ａの内面に取り付けられ、右側の棚状部１１ｂは、本体部１０を形成する右内側板１０ｂの内面（引き出し部２０側の面）に取り付けられている。棚状部１１ａ，１１ｂは角柱形状の部材であり、その長手方向が、引き出し部２０の出し入れ方向と略平行をなすように取り付けられている。踏み板４０が保管領域１２内に保管されているとき、踏み板４０の左右の側縁部下面が棚状部１１ａ，１１ｂによって摺動可能に支持されている。なお、棚状部１１ａ，１１ｂの形状は限定しないので、踏み板４０の左右の側縁部を摺動可能に保持するものであれば角柱形状以外の部材を使用することもできる。
【００２２】
踏み板４０は、図５に示すように、平面視形状が長方形状の平板部４１と、平板部４１下面の左右側縁部４１ａ，４１ｂ寄りの部分にそれぞれの側縁部４１ａ，４１ｂと平行に取り付けられた脚部４２ａ，４２ｂとを備えている。脚部４２ａ，４２ｂはいずれも角柱形状の部材で形成され、これらの前端部分及び後端部分には凸曲面状のガイド面４２ｇが設けられている。図３に示すように、脚部４２ａ，４２ｂの長手方向のサイズは、引き出し部２０の正面板２１と背面板２４との内面間距離Ｄ内に収まるサイズとなっている。
【００２３】
踏み板４０は、引き出し部２０の上面開口部を閉塞することができるサイズ、形状となっている。具体的には、踏み板４０を引き出し部２０の上面に載置したとき、引き出し部２０を形成する正面板２１、背面板２４及び側板２３ａ，２３ｂの上縁部分が、踏み板４０の前縁部４１ｃ、後縁部４１ｄ及び左右側縁部４１ａ，４１ｂによって覆われるようになっている（図８参照）。図４に示すように、左右の脚部４２ａ，４２ｂの間隔は、左右の側板２３ａ，２３ｂの内面間距離Ｄ内に収まるように配置されている。
【００２４】
また、図５（ａ），（ｂ）に示すように、踏み板４０下面において、左右の側縁部４１ａ，４１ｂと左右の脚部４２ａ，４２ｂとの間の部分、即ち、踏み板４０を引き出し部２０の上面に載置したとき、引き出し部２０を形成する左右の側板２３ａ，２３ｂの上縁部分と対向する部分には、フェルトなどの緩衝材４３が貼着されている。なお、踏み板のサイズ、形状などは図５に示す踏み板４０に限定しないので、使用条件に応じて踏み板４０以外のサイズ、形状とすることもできる。
【００２５】
次に、図１，図６〜図９に基づいて、収納家具１００の機能及び使い方などについて説明する。図１に示すように、収納家具１００は、引き出し部２０の上方に、これより浅い複数の引き出し部２７を備え、その上方にカウンター１３を有する収納空間１４を備え、収納空間１４の上方には、開閉式の引き戸１４を有する収納部１５を備えている。引き出し部２０，２６、収納空間１４及び収納部１６は、従来の収納家具と同様に使用することができる。
【００２６】
一般人の手が届き難い収納部１５などへの物品の出し入れが必要となった場合、図６に示すように、最下部に位置する引き出し部２０を、その上面開口部が現れるまで引き出すと、保管領域１２の棚状部１１ａ，１１ｂ上に保管されている踏み板４０の前縁部４１ｃ付近が現れるので、踏み板４０の一部を把持して、引き出し方向に引っ張ると、図７に示すように、踏み板４０が徐々に引き出される。
【００２７】
踏み板４０全体が引き出されたら、図８，図９に示すように、踏み板４０で引き出し部２０の上面開口部を覆うように載置すると、踏み板４０の前縁部４１ｃが引き出し部２０の正面パネル２１ｐの背面に当接し、踏み板４０の後縁部４１ｄの左右端部分が本体部１０に固着された棚状部１１ａ，１１ｂの前端部分に当接し、踏み板４０が本体部１０と引き出し部２０との間に挟持され、これにより、引き出し部２０を本体部１０内へ進入不能な状態に保持する係止機構が形成される。
【００２８】
従って、使用者は引き出し部２０上の踏み板４０に乗って、本体部１０の上方にある収納部１５などへの物品の出し入れなどを容易に行うことができる。前記係止機構は、引き出された引き出し部２０上面に踏み板４０を載置して、本体部１０と引き出し部２０との間に踏み板４０を挟持するだけで形成されるので、構造が簡素で、製作も容易である。また、使用者が踏み板４０上に乗り降りする際に、踏み板４０や引き出し部２０が上下動しないので、安定性に優れ、部材の変形、損傷あるいは摩耗などが発生せず、耐久性も良好である。
【００２９】
また、引き出された引き出し部２０上面に踏み板４０を載置したとき、踏み板４０の左右の脚部４２ａ，４２ｂが、引き出し部２０の正面板２１、左右の側板２３ａ，２３ｂ及び背面板２４の内面側に嵌まり込み、踏み板４０が前後左右に動かないように係止されるので、水平方向の安定性も良好である。
【００３０】
本体部１０内には、踏み板４０を出し入れ可能に保管するための保管領域１２が設けられているため、踏み板４０の保管スペースを別途、設ける必要がなく、踏み板４０の紛失も予防することができる。踏み板４０の保管領域１２は、引き出し部２０が本体部１０内に入れられた状態にあるときの当該引き出し部２０の直上部分に設けられているので、本体部１０から引き出された引き出し部２０の上面に容易かつ速やかに踏み板４０を載置することができ、利便性に優れている。また、使用後、引き出し部２０の上面にある踏み板４０を保管領域１２へ戻す作業も容易である。
【００３１】
また、保管領域１２に収容された踏み台４０を一定姿勢（略水平姿勢）に保つための保持手段として、左右一対の棚状部１１ａ，１１ｂが本体部１０内に設けられているので、保管領域１２に収容された踏み台４０を安定保持することができ、耐震性などの向上に有効である。また、引き出し部２０の出し入れ操作と同様の操作により、踏み板４０を本体部１０に出し入れすることができるので、操作性も良好である。
【００３２】
なお、図１〜図９に基づいて説明した収納家具１００は、本発明の一例を示すものであり、本発明の収納家具は収納家具１００に限定されない。
【産業上の利用可能性】
【００３３】
本発明の収納家具は、一般住宅のキッチンなどに配置される各種収納家具の製造業の分野において広く利用することができる。
【符号の説明】
【００３４】
１０  本体部
１０ａ  左外側板
１０ｂ  右内側板
１１ａ，１１ｂ  棚状部
１２  保管領域
１３  カウンター
１４  収納空間
１５  引き戸
１６  収納部
２０，２７  引き出し部
２１  正面板
２１ｐ  正面パネル
２２  底板
２３ａ，２３ｂ  側板
２４  背面板
２５  引掛部
２６  ガイドレール
３０  キャスタ
４０  踏み板
４１  平板部
４１ａ，４１ｂ  側縁部
４１ｃ  前縁部
４１ｄ  後縁部
４２ａ，４２ｂ  脚部
４２ｇ  ガイド面
４３  緩衝材
１００  収納家具
Ｄ１，Ｄ２  内面間距離
Ｆ  床面
【図１】
2014068809.tif 000003
【図２】
2014068809.tif 000004
【図３】
2014068809.tif 000005
【図４】
2014068809.tif 000006
【図５】
2014068809.tif 000007
【図６】
2014068809.tif 000008
【図７】
2014068809.tif 000009
【図８】
2014068809.tif 000010
【図９】
2014068809.tif 000011